(57)【特許請求の範囲】
【請求項１】
Ｌ体とＤ体のモル比が９５／５〜６０／４０、又は４０／６０〜５／９５であるポリ乳酸に、イソシアネート基≧２．０当量／モルのポリイソシアネートを該ポリ乳酸に対し０．５〜５重量％、およびアスペクト比が１．５以下で平均粒径が３μｍ以下の実質的に球状の金属酸化物又は金属硫酸塩から選ばれた粒子を５〜３０重量％配合してなる、溶融粘度がメルトインデックス値（ＭＩ）で５以下であることを特徴とする樹脂組成物。
【請求項２】
金属酸化物が酸化アルミニウム、二酸化ケイ素、酸化チタンの群から選ばれた化合物である請求項１に記載の樹脂組成物。
【請求項３】
金属硫酸塩が硫酸バリウムである請求項１に記載の樹脂組成物。
【請求項４】
金属酸化物及び金属硫酸塩のアスペクト比が１．２以下である請求項１に記載の樹脂組成物。
【請求項５】
金属酸化物及び金属硫酸塩の平均粒子径が１μｍ以下である請求項１に記載の樹脂組成物。
【発明の詳細な説明】
【０００１】
【発明の属する技術分野】
本発明は、生分解性を有する梱包用緩衝材として用いられる発泡体用樹脂組成物に関する。
【０００２】
【従来の技術】
軽量性、緩衝性、成形加工性を生かしたプラスチック発泡体が包装、梱包材として多量に用いられており、その素材はポリスチレン（ＰＳ）、ポリオレフィンといった石油を原料とする化学製品であるため、使用後の処分が困難で、焼却するにしても燃焼カロリーが高く、焼却炉を傷めたり、埋め立てをしても分解しない上に容積が大きいために処分場のスペースを占有してし、大きな社会問題となってきている。
【０００３】
又、処分されずに投棄された発泡体が及ぼす、河川、海洋など、自然態系への影響も無視ではなくなってきている。そこで、生態系の中で分解し、地球環境への影響が少ない樹脂が開発された。例えば、微生物の体内で合成されるポリヒドロキシブチレート系樹脂や、脂肪族グリコールと脂肪族カルボン酸からなるポリエステル又は、カプロラクトンを主成分とするポリエステル系樹脂などが提案されているが、前者は微生物が作り出すため純度が低く、生産性が悪く、利用は制限されてしまう。
【０００４】
そして後者は、原料が石油・天然ガスといった安価で多量に入手できるものであるから生産性は確かに良いが、結晶性樹脂である上にガラス転移点が低いため、生分解性樹脂としては実用性に乏しいと共に原料を石油・天然ガスとしているため、分解すると地球上に存在する炭酸ガスに新たに炭酸ガスが加算され、炭酸ガスの増加抑制に寄与しない。又、長期的にみた場合石油・天然ガスは有限であるため、やがて入手が困難となり、本当の意味での地球環境保全に資し得ない。
【０００５】
更に、生分解性の素材としてグリコール酸や乳酸などもグリコリドやラクチドの開環重合によりポリマーが得られ、医療用等の繊維として利用されているが、繊維形成性を持たせるため樹脂に結晶性を付与しており、そのままでは発泡体として、包装容器や緩衝材に大量に使用されるに至っていない。
【０００６】
【発明が解決しようとする課題】
本発明は、生分解性を有しながら、生産性に優れる発泡性樹脂組成物、即ち、微生物による分解が可能で、且つ使用後処分するに際しても地球環境への負荷が少なく、しかも高い生産性を有し、実用に耐えうる発泡性樹脂組成物を提供することにある。本発明者等は、ベースポリマー、それを高分子量化するための添加剤、発泡させるための発泡剤及び発泡助剤等の添加剤等について詳細に検討を重ねた結果、実用上十分な生産性を有する生分解性樹脂組成物を見いだし、既に発明提案を行った。しかし、該発明で得られる樹脂組成物は汎用の発泡成形物として使用されているポリスチレンに比較して成形物の寸法安定性（金型寸法に対する成形物の寸法）が僅かながら劣ることが判明した。
【０００７】
【課題を解決するための手段】
本発明者らは、かかる課題を解決すべく鋭意研究の結果、本発明に使用されるポリ乳酸樹脂組成物に特定の金属酸化物または金属硫酸塩を配合することにより、ポリスチレン発泡体と同レベルの寸法安定性を保持することを見いだし本発明に到達したものである。
【０００８】
即ち本発明は、Ｌ体とＤ体のモル比が９５／５〜６０／４０、又は４０／６０〜５／９５であるポリ乳酸に、イソシアネート基≧２．０当量／モルのポリイソシアネートを該ポリ乳酸に対し０．５〜５重量％、およびアスペクト比が１．５以下で平均粒径が３μｍ以下の実質的に球状の金属酸化物又は金属硫酸塩から選ばれた粒子を５〜３０重量％配合してなる、溶融粘度がメルトインデックス値（ＭＩ）で５以下であることを特徴とする樹脂組成物である。
【０００９】
【発明の実施の形態】
先ず、基本条件の一つである生分解性を有し、自然界の炭酸ガス増加を最小限に抑制し、且つ実用に耐えうる生産性、コストを考慮すると、とうもろこし等、穀物の澱粉をスタート物質とする乳酸を原料とするポリ乳酸樹脂が好ましい。しかし、通常繊維用として使われるものは結晶性を有しないと機械物性、耐熱性等が不足するため、光学異性体のＬ体がほぼ１００％のものを用いている。これに対し、発泡体を形成するためには少なくとも結晶性はできうる限り小さくする必要がある。その理由は、結晶性樹脂は発泡剤を含浸する工程で結晶化が進行し、発泡時に樹脂そのものが伸びないからである。
【００１０】
従って、本発明でいうポリ乳酸とは、実質的に非晶性のポリ乳酸であり、Ｌ体とＤ体のモル比が９５／５〜６０／４０，又は４０／６０〜５／９５の乳酸を用いる。Ｌ体／Ｄ体のモル比が９５／５を超えるもの、あるいは５／９５未満のものは結晶性が高く、発泡倍率が上がらなかったり、発泡が不均一になり使用できない。また、６０／４０未満〜４０／６０を超えるものは耐熱性が劣り使用できない。好ましくは９０／１０以下〜７０／３０以上、又は３０／７０以下〜１０／９０以上となるのが良い。
【００１１】
一方、発泡体に使用される樹脂は、含浸された発泡剤が貯蔵中に揮散するのを極力低減させるため、ガスバリア性の良好な樹脂が好ましいが、該性質を向上させる手段として高ガラス転移点（Ｔｇ）を有する樹脂を用いることである。生分解性樹脂の中で、ポリ乳酸樹脂はガラス転移点が他の生分解性樹脂に比して高く、本発明の目的に合致し好都合である。しかし、ポリ乳酸のガラス転移点はＬ体とＤ体の割合に応じ僅かずつではあるが低下し、５０／５０で極小となる。ガラス転移点が低下すると、上記理由により発泡性が経時的に低下し、また発泡体の耐熱性も低下し好ましくない。即ち、ガラス転移点は、５０℃以上が好ましく、そのために、Ｄ体の比率はできるだけ４０モル以下又は６０モル％以上、好ましくは３０モル以下又は７０モル以上としておくことが必要である。
【００１２】
次に、本発明に使用されるベースポリマーとしてのポリ乳酸の溶融粘度は高い方が好ましく、その溶融粘度はＪＩＳ  Ｋ  ７２１０（荷重２．１６ｋｇｆ）に準拠したメルトインデックス値（ＭＩ）で１〜１０の範囲であり、更に好ましくは１〜５の範囲である。ポリ乳酸の溶融粘度度が１未満の樹脂は、通常用いられる後述の方法では製造することが困難であり、一方、１０を超える溶融粘度を有するポリ乳酸を高粘度化して得られる樹脂組成物は、発泡倍率の低い発泡体となり好ましい結果は得られない。その理由は、低溶融粘度のポリ乳酸及び高溶融粘度のポリ乳酸をベースポリマーとして使用し、以下に述べるポリイソシアネートと反応させて同一の超高粘度樹脂を得たとき、出発が低溶融粘度のポリ乳酸からの樹脂組成物は高溶融粘度のそれより分岐密度が高くなり過ぎ、架橋構造をとりやすくなって、発泡を阻害すると考えられるからである。
【００１３】
一般に、高溶融粘度のポリ乳酸を得る手段として、通常の反応釜での高真空下、攪拌効率の良好な状態での溶融重合、二軸混練反応機による溶融重合、溶融重合と固相重合との組み合わせがあるが、高粘度であるため反応が長くなり生産性が低下し、樹脂の熱分解による品質低下に十分注意する事が必要となる。
【００１４】
この方法により、溶融粘度がＪＩＳ  Ｋ  ７２１０（荷重２．１６ｋｇｆ）に準拠したメルトインデックス値（ＭＩ）で１〜１０の範囲のポリ乳酸を得ることが出来るが、こうして得られたポリ乳酸に発泡剤を含浸、発泡させても発泡倍率は低く実用に耐えうるものではない。高発泡倍率を得るには、更に高溶融粘度の樹脂が必要であり、溶融重合のみでは限界がある。
【００１５】
本発明者等は鋭意検討の結果、イソシアネート基≧２．０当量／モルのポリイソシアネートを該ポリ乳酸に対して０．５〜５重量％、好ましくは１〜３重量％をポリ乳酸と溶融状態で混合、反応させることにより溶融粘度がＪＩＳ  Ｋ  ７２１０（荷重２１．６ｋｇｆ）に準拠したメルトインデックス値（ＭＩ）が５以下の発泡性の良好な樹脂組成物を得ることが出来た。ポリイソシアネートが０．５重量％未満では樹脂組成物の溶融粘度があまり上昇せず、また５重量％を超えると樹脂組成物の溶融粘度は上昇するものの未反応のポリイソシアネートが残留したり、分岐密度が過大になり又架橋反応も進行し、ゲル化物が多量に発生し、発泡性は逆に低下する。
【００１６】
ここで、ポリ乳酸とポリイソシアネートを溶融状態で混合、反応させ超高分子量化させる方法は通常の公知の方法が可能である。例えば、ペレツト化したポリ乳酸にポリイソシアネートを添加混合し単軸又は二軸混練機等で溶融混合する方法、予めポリ乳酸を単軸又は二軸混練機等で溶融した後ポリイソシアネートを添加する方法、単軸又は二軸混練機等で溶融重合によりポリ乳酸を製造又は製造中にポリイソシアネートを添加する方法などにより目的物である樹脂組成物を得ることが出来る。
【００１７】
使用されるポリイソシアネートとしては芳香族、脂環族、脂肪族系のポリイソシアネートがあり、例えば、芳香族ポリイソシアネートとしてはトリレン、ジフェニルメタン、ナフチレン、トリジン、キシレン、トリフェニルメタンを骨格とするポリイソシアネート、脂環族ポリイソシアネートとしてはイソホロン、水素化ジフェニルメタンを骨格とするポリイソシアネート、脂肪族ポリイソシアネートとしてはヘキサメチレン、リジンを骨格とするポリイソシアネートがあり、いずれも使用可能であるが汎用性、取り扱い性、耐候性等からトリレン、ジフェニルメタン、特にジフェニルメタンが好ましく使用される。
【００１８】
かくして得られたポリ乳酸樹脂組成物は、以下に述べる発泡剤、発泡助剤を含浸させ、発泡処理を行うと高発泡倍率の発泡体が得られる。しかし、該発泡体から成形される成形物は、金型から取り出したときポリスチレン成形物に比して寸法安定性が僅かながら劣る（縮み代が大きい）ことが判明した。この原因については明らかでないが、ポリ乳酸のガラス転移点がポリスチレンのそれの比して低いことが要因の一つとして考えられる。
【００１９】
本発明者等は、この課題を克服するため種々検討した結果、特定のアスペクト比及び粒子径を有する金属酸化物または金属硫酸塩を配合することにより、寸法安定性が大幅に改善されることを見いだした。
【００２０】
本発明に使用される金属酸化物または金属硫酸塩の平均粒子径としては３μｍ以下が必要で、更には１μｍ以下が好ましい。平均粒子径が３μｍを超えると寸法安定化の効果が低下し、本発明の目的から逸脱する。一方、発泡体のセルの膜厚は凡そ１．５μｍ前後であり粒径の大きい粒子は膜の形成を阻害し、且つ、セルの大きさに均一性を欠くこととなり、結果として発泡倍率が大きくならない。平均粒子径が１μｍ以下であると、セル膜形成への障害が小さくセルの大きさは均一で、発泡倍率も高くより好ましい結果が得られる。
【００２１】
また、本発明に使用される金属酸化物及び金属硫酸塩粒子はそのアスペクト比が１．５以下が必要である。アスペクト比が１．５を超えると樹脂組成物の流動性を阻害するため発泡性が低下し好ましくない。アスペクト比が１．５以下では樹脂組成物の流動性を阻害することは少なく、更に好ましくは１．２以下である。即ち、配合する金属酸化物及び金属硫酸塩粒子は実質的に球状であることが必要である。
【００２２】
これら粒子の配合量は樹脂組成物に対して５〜３０重量％が有効で、更に好ましくは１０〜２０重量％である。配合量が５重量％未満では寸法安定性の改善にほとんど効果なく、３０重量％を超えると配合された樹脂組成物が硬くなり寸法の安定性は向上するものの発泡倍率は極端に低下する。
【００２３】
配合する金属酸化物及び金属硫酸塩としては、上記の粒子径、アスペクト比を有し、樹脂と反応しないものであればいずれでも良いが、金属酸化物としては酸化アルミニウム、二酸化ケイ素、酸化チタンが好ましく使用される。また、金属硫酸塩としては硫酸バリウムが好適である。
【００２４】
本発明に使用する金属酸化物及び金属硫酸塩の樹脂への配合は公知の方法が可能であり、既に記述したごとく、ポリ乳酸、イソシアネートおよび金属酸化物または金属硫酸塩を予め配合し単または二軸混練機で溶融混練する方法、溶融したポリ乳酸にイソシアネートおよび金属酸化物または金属硫酸塩を添加、混練する方法等種々の方法があるが、粉末化したポリ乳酸にイソシアネートおよび金属酸化物または金属硫酸塩を所定量配合し、二軸混練機で溶融混練する方法が三者の分散性がよく好ましく使用される。
【００２５】
また、均一で微細な発泡セルを形成させるためには発泡核剤を配合することが好ましい。使用する発泡核剤としては、固体状の粒子状物、例えば、タルク、カオリン、ゼオライト、マイカ等の無機粒子が好適である。この中でもタルクは本発明の樹脂組成物に対して好ましく使用される。
【００２６】
また、その他の添加剤についても、目的に応じ、適宜添加することが出来、例えば熱安定剤、酸化防止剤、難燃剤、紫外線吸収剤、可塑剤等がある。但し、難燃剤等は塩素等のハロゲン化物であることが多く、生分解性や焼却処分時の有害物質発生という観点から最小限に留めておくのがよい。
【００２７】
こうして得られた樹脂組成物は、ペレット又はビーズ状粒子とした後、発泡剤及び発泡助剤を含浸させる。これら粒子は通常、加熱によって第１次の発泡（予備発泡）をさせ、一旦、発泡倍率で数倍から３０〜５０倍の発泡粒子とし、次いでこれらを金型に入れ、更に加熱して２次発泡させ、所望の成形体を成形する。
【００２８】
ここで用いる発泡剤及び発泡助剤としては、プロパン、ｎ−ブタン、イソブタン、ｎ−ペンタン、ソペンタン、シクロペンタン、ヘキサン等の炭化水素、塩化メチレン、塩化メチル、ジクロロジフルオロメタン等のハロゲン化炭化水素類、ジメチルエーテル、メチルエチルエーテル等のエーテル類が発泡剤として、又、炭素数１〜４のアルコール、ケトン類、エーテル、ベンゼン、トルエン等が発泡助剤として用いられる。
【００２９】
発泡剤と発泡助剤の組み合わせは、使用する樹脂によって適宜選択しなければならない。本発明に使用するＬ体／Ｄ体共重合ポリ乳酸ポリマーの場合、発泡剤として沸点の低いブタンやペンタンが好ましく用いられる。又、これと組み合わせる発泡助剤としては炭素数１〜４の１価のアルコールが好適である。その他の組み合わせも種々あり、効果や経済性に鑑みて選択することができる。
【００３０】
発泡剤と発泡助剤の使用比率は、体積比で発泡剤／発泡助剤＝１／２〜１０／１が可能であるが、発泡剤と発泡助剤の組み合わせによってこの比率は変わり、１／２〜２／１が一般的である。発泡剤及び発泡助剤の含有量（率）は目的とする発泡倍率、ペレット又はビーズ粒子の保存期間によって異なるが発泡剤として通常５〜１５重量％である。発泡剤の含有量（率）は、発泡倍率に応じて選択することができる。一般に、低発泡品は含有量（率）を低く、高発泡品は含有量（率）を高くすればよい。
【００３１】
発泡剤及び発泡助剤を含有させたペレット又はビーズ粒子は、予備発泡させた後、所望の金型に入れ、更に加熱して発泡を進め、セル同志を融着させて強固な成形体を成形する。従来から行われているポリスチレン（ＰＳ）発泡体の成型方法と基本的には同一である。即ち、予備発泡及び発泡成形共に熱容量の大きい水蒸気が好ましく用いられる。
【００３２】
得られる発泡成形体の寸法は金型の寸法に近ければ近い程理想的である。実用的な判断からすると収縮率は２％以下が好ましく、本発明に使用するポリ乳酸は、単独ではその収縮率は６％前後でありポリスチレンに比して大きな値である。しかし、本発明の粒子を配合することにより、収縮率は大幅に低減し２％以下となった。
【００３３】
【実施例】
以下に実施例及び比較例により、本発明を更に具体的に説明する。尚、評価は下記の方法で行った。
（評価方法）
（１）ベースポリマーとしてのポリ乳酸のＭＩ：ＪＩＳ  Ｋ  ７２１０に準拠した方法で測定。（測定温度１００℃、オリフィス径２ｍｍ、２．１６ｋｇ荷重の条件）
（２）樹脂組成物のＭＩ：ＪＩＳ  Ｋ  ７２１０に準拠した方法で測定。（測定温度１００℃、オリフィス径２ｍｍ、２１．６ｋｇ荷重の条件）
（３）発泡倍率：メスシリンダーを用いて、発泡前の発泡剤含浸ペレツトの体積及び予備発泡粒子の体積を測定し、発泡倍率を次のように求めた。
発泡倍率（倍）＝予備発泡粒子の体積／発泡剤含浸ペレットの体積
（４）寸法安定性：発泡成形機に３００×３００×３０ｍｍの金型を設置し、予備発泡した発泡体を充填し、スチーム圧０．２ｋｇｆ／ｃｍ2で処理し成形加工した。得られた成形体を３０分間室温で放冷した後、寸法を測定し、以下の計算式により寸法安定性を算出した。
寸法安定性（収縮率％）＝（１−（成形体の寸法／３００））×１００
（５）生分解性：予備発泡粒子をコンポストに１ケ月間入れ、外観状態で次のように評価した。
◎：原形をとどめない状態まで分解
○：元の形状はとどめているがぼろぼろまで分解
△：変化は認められるが変化は僅か
×：全く変化なし
―：未測定
【００３４】
製造例
市販のＬ−ラクチド、Ｄ−ラクチドをそれぞれ酢酸エチルを用いて再結晶して精製した。精製したＬ−ラクチド、Ｄ−ラクチド及び触媒としてオクチル酸スズを表１の組成になるように攪拌機付きオートクレーブに仕込み、減圧脱気した後、Ｎ2雰囲気下で各々の重合条件で開環重合した。反応終了後、オートクレーブよりポリマーを取り出し、粘度（ηｒ）を測定し、ηｒが３．２〜３．５のポリマーを得た。
【００３５】
【表１】
0003787447.tif 000002
【００３６】
実施例１〜１１、比較例１〜６
Ｐ１〜Ｐ１１のポリ乳酸にイソシアネート化合物「ミリオネートＭＲ―２００」（イソシアネート基２．７〜２．８当量／モル、日本ポリウレタン工業（株））、酸化チタン（アスペクト比１．２）及びタルク「ＬＭＰ―１００」（富士タルク工業（株））１．０重量％を表２の組成となるように二軸混練機（ＰＣＭ―３０，池貝鉄工（株））にてシリンダー温度１８０℃で混練し、ペレット状の樹脂組成物を得た。
【００３７】
これらの樹脂組成物のＭＩを測定した後、オートクレーブに各々２０００部、発泡剤としてイソペンタン１２００部、発泡助剤としてメタノール２４０部を仕込み、密封し、２０℃／Ｈｒの速度で昇温し、７０℃に１時間保持した。その後、２５℃間で冷却してから樹脂を取り出し、風乾後、重量を測定し、含浸率を求めた。次いで得られた発泡剤含浸ペレツトを水蒸気（９２℃、１分）で予備発泡させ、発泡倍率及び生分解性を評価した。
【００３８】
更に、１日熟成後、この予備発泡粒子を密閉金型に充填してスチーム成形機で水蒸気圧０．２ｋｇ／ｃｍ2、３０秒間加熱して成形を行い、各３００×３００×３０ｍｍの成形体を得た。この成形体を室内に３０分以上放置したのちそれぞれの寸法を測定し、寸法安定性（収縮率）を評価した。各々の評価の対照として市販の発泡ポリスチレン「リューパール５５ＫＳＹ―３１７１」（大日本インキ製、但し成形加工は水蒸気圧０．７ｋｇ／ｃｍ2で実施）を用いた。評価結果は表３の通りであった。
【００３９】
【表２】
0003787447.tif 000003
【００４０】
【表３】
0003787447.tif 000004
【００４１】
評価結果
ポリ乳酸のＬ／Ｄ体比率の変化したＰ１〜Ｐ１１の樹脂に、それぞれ架橋剤、寸法安定向上剤を同一組成となるように配合、混練した樹脂組成物のＭＩ、発泡倍率、分解性、寸法安定性を比較すると、Ｐ１、Ｐ１１は発泡倍率が小で好ましくなく、Ｐ６は発泡倍率、分解性は良好であるが寸法安定性が不良である。一方、寸法安定向上剤の添加量を変化させると、５重量％未満では寸法安定性が悪く、３０重量％を超えると発泡倍率が低下するので好ましくない。
【００４２】
実施例１２〜１８比較例７〜１２
Ｐ３のポリ乳酸にイソシアネート化合物「ミリオネートＭＲ−２００」（イソシアネート基２．７〜２．８当量／モル、日本ポリウレタン工業（株））、寸法安定向上剤として二酸化ケイ素または硫酸バリウムをそれぞれ所定量及びタルク１重量％を表４の組成となるように配合し、実施例１〜１１、比較例１〜６と同様の混練機、混練条件で処理し、ペレット状樹脂組成物を得、引き続き、同様の処理を行い評価を行った。結果を表５に示した。
【００４３】
【表４】
0003787447.tif 000005
【００４４】
【表５】
0003787447.tif 000006
【００４５】
評価結果
寸法安定向上剤として二酸化ケイ素を使用した場合、酸化チタンと同様に添加量が５重量％〜３０重量％の範囲は発泡倍率、寸法安定性ともに良好であった。添加量が５重量％未満では収縮率が大きく寸法安定性が不良であり、４０重量％を超えると発泡性が極端に低下した。酸化アルミニウムにおいても、二酸化ケイ素とほぼ同一の結果を示した。また、硫酸バリウムにおいて添加量を一定とし、アスペクト比を変化させるとアスペクト比の増大と共に発泡倍率が低下し、１．５を超えると樹脂への拘束性が増大し発泡倍率が低下した。また、平均粒子径を変化させると、平均粒子径が３μｍを超えると、発泡倍率が低下し且つ寸法安定性も低下した。
【００４６】
実施例１９〜２５、比較例１３〜１５
Ｐ３のポリ乳酸に種々の官能基数を持つイソシアネートを所定量及び寸法安定向上剤として酸化チタン（平均粒子径０．２μｍ、アスペクト比１．２）を８重量％添加、配合し、表６に記載の組成で、実施例１〜１１、比較例１〜６と同様の混練機、混練条件で処理し、ペレット状樹脂組成物を得、引き続き、同様の処理を行い評価を行った。結果を表７に示した。
【００４７】
【表６】
0003787447.tif 000007
【００４８】
【表７】
0003787447.tif 000008
【００４９】
評価結果
実施例１３〜２５及び比較例１３〜１５よりイソシアネートの添加量が０．５重量％未満の場合は混練して得られる樹脂組成物のＭＩが５を超え、発泡倍率が小さく、また、イソシアネートの添加量が５重量％を超えるものはＭＩは適正範囲にあるものの、分岐、架橋度が大になるため発泡倍率は極端に低下するので好ましくない。一方、イソシアネートの官能基数が２．０未満の場合は、混練して得られる樹脂組成物のＭＩが５を超え発泡倍率が小さく本発明の目的からはずれている。
【００５０】
【発明の効果】
以上、本発明の樹脂組成物は発泡性、耐熱性、機械物性は従来から用いられてきた発泡ポリスチレン（ＰＳ）と同程度のものが得られ、さらには制電性に優れ且つ生分解性が著しく優れており、地球環境保全に資する樹脂組成物である。